(57)【要約】 【課題】簡単な構成で部品をねじで固定することを可能にした部品固定装置を得る。【解決手段】ナット部材１にねじ５を螺合してワーク４に部品７を固定する部品固定装置において、ナット部材１は円筒形状であって、一端にワーク４の厚みに相当する間隙を有して突き出た外方突出縁１１、１２を有する係止部１０が形成され、しかも、ワーク４に係止部外周に沿う形状の内方突出縁２２を有する内周面が形成された貫通穴２０を設け、貫通穴２０にナット部材１が嵌り、内方突出縁２２を挟み固定させ、ナット部材１にねじ５を螺合するようにした部品固定装置であるので、従来のようなインサートナットを使用した場合に比べて、ワークに亀裂を生じさせるといったことが皆無になり、特に、ワークには角穴を形成する必要がなく、このため、部品のワークへの取り付け不良も解消される。しかも、薄いワークにもこのナット部材を使用すれば、ねじが確実にねじ込める。【選択図】図１
2007002948.tif 000002
【特許請求の範囲】
【請求項１】
ワーク（４）に対して部品（７）を固定する部品固定装置であって、ワークにナット部材（１）を嵌め込み、このナット部材に部品を貫通したねじ（５）を螺合することによってワークに部品を固定する部品固定装置において、
ナット部材は内周に雌ねじ（３）が形成された円筒形状であって、これには一端が多角形状で且つワークの厚みに相当する間隙を有しているとともに上下に交互に配置されて外周方向に夫々突き出た外方突出縁（１１、１２）を有する係止部（１０）が形成され、しかも、このナット部材が嵌め込まれるワークには少なくとも前記上下いずれかの前記外方突出縁を有する係止部外周に沿う形状の内方突出縁（２２）を有する内周面が形成された貫通穴（２０）を設け、この貫通穴に前記ナット部材が嵌り、前記上下の外方突出縁に内方突出縁を挟み固定させ、このナット部材にねじを螺合するようにしたことを特徴とする部品固定装置。
【請求項２】
間隙の上位置に配置された外方突出縁はナット部材の下位置から折り返され、しかも下位置にある外方突出縁と平行になるよう折曲されていることを特徴とする請求項１記載の部品固定装置。
【請求項３】
外方突出縁はその上下いずれか若しくは両方に、間隙側に突出する突起（１３）を有していることを特徴とする請求項１又は２記載の部品固定装置。
【請求項４】
貫通穴の内方突出縁は上下いずれかの面若しくは両面に突起（２３）を有していることを特徴とする請求項１又は２記載の部品固定装置。
【請求項５】
外方突出縁は間隙を挟んで上下いずれか若しくは両方にねじのねじ込み方向においてナット部材の供回りを阻止すべく間隙が狭くなるように傾斜している構成であることを特徴とする請求項１又は２記載の部品固定装置。
【発明の詳細な説明】
【技術分野】
【０００１】
本発明は、比較的薄い板状のワークに対して部品をねじで固定する固定装置であって、特に、小型のハードディスクや携帯電話等の精密電子機器に内蔵される部品をねじで簡単に固定するようにした部品固定装置に関する。
【背景技術】
【０００２】
最近使用が増加しているハードディスクや携帯電話等の精密な電子機器の組立においては、その軽量化と小型化が進んでおり、このような中、機能を向上させる目的で、基板上に多数の電子部品が組み込まれている。このような多くの電子部品の取り付けにはねじが多く使用されているが、これに反して電子部品を固定する基板は薄くなっていることから電子部品を固定するねじと雌ねじとの食い付き量が不十分で、電子部品が振動や何らかの原因で外れやすい等の不安定要因を有している。これら不安定要因を解消するために基板に、内周に雌ねじが形成されたインサートナットを固定し、これにねじをねじ込むようにしているものが一部にある。
【０００３】
これには、例えば、特開平７−２６９５４６号公報に示すようなものが採用されている。これは、図１１及び図１２に示すようなものであり、一端に頭部１１０を有し、この頭部１１０と一体となった胴部１０２から構成されている。この胴部１０２は均一な四角形の外面からなり、４個の脚１０２ａを含んでいる。各脚１０２ａは頭部１１０から遠ざかるにつれてその径方向の厚さを漸進的に増大し、各脚内の穴部１０３は漸進的にその断面積を減少している。そして、このインサートナット１０１をパネル部材１０４に固定する際にねじ１０５は穴部１０３内にねじ込まれるから、各脚１０２ａは互いに離れさせられて互いのパネル部材１０４が固定されるようになっている。
【特許文献１】特開平７−２６９５４６号公報
【発明の開示】
【発明が解決しようとする課題】
【０００４】
しかしながら、このようなインサートナットを使用した場合、四角形の胴部を基板に挿入する必要性からこの基板には四角形の穴を形成しておかねばならないとともに、この胴部はねじがねじ込まれることによって脚が開くことになっているから、この基板の下面に電子部品があると、脚が開いたときに発生する金属屑が落下することがあり、電子部品がショートする等の問題を生じている。また、胴部の脚が開いたときに基板には拡開力が作用するから、あまりこの基板が薄いと基板に亀裂が生じることもあり、自ずと基板の厚みに制限がある。一方、このように薄くなくても胴部が嵌る穴が四角形状であることから脚部が開いたときに穴の角に応力集中が発生し、これによっても基板には亀裂が生じることがあり、製品の品質低下に繋がることもあった。更に、このように電子部品を内蔵する製品には最近はその軽量化からマグネシウム合金が使用されており、これに直接雌ねじを形成する加工は焼き付き等の問題が発生することからその加工が難しくコストが上昇している等の課題を有している。
【０００５】
本発明の目的は、このような課題を解消するとともに簡単な構成でワークに部品をねじで固定することを可能にし且つ確実な部品の固定を可能にした部品固定装置を得ることである。
【課題を解決するための手段】
【０００６】
本発明の目的は、ワーク４に対して部品７を固定する部品固定装置であって、ワーク４にナット部材１を嵌め込み、このナット部材１に部品７を貫通したねじ５を螺合することによってワーク４に部品７を固定する部品固定装置において、ナット部材１は内周に雌ねじ３が形成された円筒形状であって、これには一端が多角形状で且つワーク４の厚みに相当する間隙を有しているとともに上下に交互に配置されて外周方向に夫々突き出た外方突出縁１１、１２を有する係止部１０が形成され、しかも、このナット部材１が嵌め込まれるワーク４には少なくとも前記上下いずれかの前記外方突出縁１１、１２を有する係止部外周に沿う形状の内方突出縁２２を有する内周面が形成された貫通穴２０を設け、この貫通穴２０に前記ナット部材１が嵌り、前記上下の外方突出縁１１、１２に内方突出縁２２を挟み固定させ、このナット部材１にねじ５を螺合するようにした部品固定装置を提供することで達成される。
【０００７】
また、この構成に加えて、間隙の上位置に配置された外方突出縁はナット部材１の下位置から折り返され、しかも下位置にある外方突出縁１１と平行になるよう折曲されているから、内方突出縁は弾力付勢された状態で接することができ、貫通穴に対して中心のずれが生じない。
【０００８】
更に、外方突出縁はその上下いずれか若しくは両方に、間隙側に突出する突起１３を有していることから、ナット部材をワークに強固に取り付けることができる。一方、貫通穴の内方突出縁は上下いずれかの面若しくは両面に突起２３を有している構成とすることによっても、ナット部材をワークに強固に取り付けることができる。
【０００９】
この他に、外方突出縁は間隙を挟んで上下いずれか若しくは両方にねじ５のねじ込み方向においてナット部材１の供回りを阻止すべく間隙が狭くなるように傾斜している構成とすることによって、ねじがこのナット部材にねじ込まれるにつれてワークに対するナット部材の固定強度が強くなる。
【発明の効果】
【００１０】
本発明によれば、従来のようなインサートナットを使用した場合に比べて、ワークに亀裂を生じさせるといったことが皆無になり、特に、ワークには角穴を形成する必要がなく、このため、この角に応力集中を生じないから亀裂は皆無となり、部品のワークへの取り付け不良も解消される。しかも、薄いワークに対してもこのナット部材を嵌め合わせることで、ねじを確実にねじ込むことができる。また、ねじで雌ねじを形成したり、ナット部材を引き裂くことがないので、金属屑の発生が無く、これが電子部品をショートさせるといったこともなく、製品の品質が向上する。更に、より小さい電子機器においても、これに内蔵される部品をねじで固定することができ、電子機器の小型化において支障が生じない。その上、ワークの貫通穴はプレス加工し、これにナット部材を嵌め合わせるだけなので、加工コストが低減され、安価な製品の提供が可能になる等の特有の効果がある。
【発明を実施するための最良の形態】
【００１１】
以下、本発明の実施の形態を図１乃至図１０に基づき説明する。図１及び図２において、１はナット部材であり、このナット部材１は円筒形状の所謂、パイプ形状となっている。この円筒形状の胴部２にはその内周に雌ねじ３が形成してあり、この胴部２の一端にはその外方に拡開された係止部１０が形成してあり、この係止部１０は放射状に六等分されて外方に突出した外方突出縁１１、１２を有している。
【００１２】
この外方突出縁１１、１２は一つおきに前記胴部の下端から外方にほぼ直角に折曲されており、また、これら外方突出縁１２、１２間の外方突出縁１１は図３に示すように、前記胴部２の下端から上方に折り返されて前記外方突出縁１２から所定の間隙を有する位置で外方に突出して互いに平行な外方突出縁１１を構成している。これら上下の外方突出縁１１、１２の間隙はワーク４の厚みに相当する間隙となっており、ワーク４の厚み毎にその間隙は変更されるものである。即ち、図４に示すように、この間隙の上下には三個づつの外方突出縁１１、１２が夫々配置されるようになっており、これらは交互に配置されて外周方向に夫々突き出た外方突出縁１１、１２にワーク４が嵌るようになっている。
【００１３】
また、これら上下の外方突出縁１１、１２はその外方端が円弧形状となっており、これら上下の外方突出縁１１、１２間は円弧で互いに結ばれており、このナット部材１は図１のような平面図においては、所謂、ヒトデ形状となっている。尚、この実施の形態では、前記のように六等分された方向に突出した形状としたが何もこれに限定されるものではなく五等分でも四等分でもよく、しかも、このように外方に突き出た形状でなくても四角形形状、五角形形状、六角形形状等の多角形形状であってもよく、これら上下に位置する外方突出縁１１、１２がワーク４を挟む構成であればよい。
【００１４】
一方、このナット部材１を固定するワーク４には図５に示すように、前記ナット部材１の平面図において外方突出縁１１、１２に沿う形状の貫通穴２０が形成されており、前記ナット部材１の外方突出縁１１、１２に対応する形状の突出溝２１とこれに隣設する突出溝２１との間には内方へ突出する内方突出縁２２が形成されている。この内方突出縁２２の周縁は大きな円弧形状に形成してあり、前記ナット部材１が嵌め合わされるときにナット部材１の胴部２の外周にその周縁の一部をなす内方端が摺接するような寸法になっている。具体的には、外方突出縁１１、１２からなる係止部１０の外周に沿う形状の内方突出縁２２と前記突出溝２１とからなる内周面が形成された貫通穴２０となっている。
【００１５】
この内方突出縁２２の面には突起２３が形成してあり、図６及び図７に示すように、この突起２３は前記ナット部材１を嵌め合わせて上側の外方突出縁１１と下側の外方突出縁１２との間に内方突出縁２２が挟まれるように、ワーク４に対してナット部材１を時計あるいは反時計方向に回したときに外方突出縁１１、１２との間で回り止め抵抗が生じるようにするものである。
【００１６】
このため、前記内方突出縁２２に形成される突起２３は前記実施の形態に示すように、内方突出縁２２を構成する面の一方に形成したものでもよく、また、両面に形成した形状であってもよい。更に、この突起２３を前記内方突出縁２２に形成せずに、図８に示すように、ナット部材１の外方突出縁１１、１２の上下いずれか若しくは両方の間隙側に形成してもよく、これによっても前記と同様の作用が得られる。その上、この突起１３をナット部材１の回転中心に沿う円周上に配置し、図８及び図９に示すように、一方方向、即ち、ねじ締め方向に回すときにワーク４に食い込むよう傾斜した三角錐形状としてもよい。
【００１７】
一方、これら突起に代え、図１０に示すように、ナット部材１の上側の外方突出縁１１を正面図において、前記間隙を挟んでねじ５のねじ込み方向においてナット部材１の供回りを阻止すべく間隙が狭くなるように傾斜させてもよく、この外方突出縁１１の傾斜は上側だけでなく下側に形成してもよく若しくは両側に形成してもよく、このナット部材１にねじ５をねじ込んだときに供回りしなければ、どのような形状であってもよい。
【００１８】
このように構成されたナット部材１を使用してこれにねじ５をねじ込み、部品７をワー４クに固定する場合は、まず、図５に示すように、ナット部材１の平面形状と実質的に同一な形状の貫通穴２０をあける。この時、ワーク４の内方突出縁２２にはナット部材１の外方突出縁１１、１２と接する側に突起２３を形成する。次にナット部材１をこのワーク４の貫通穴２０に嵌め、上下の外方突出縁１１、１２の間に形成されたワーク４の厚みに相当する間隙を有する係止部１０に内方突出縁２２を位置させて回転させる。これにより、ナット部材１はワーク４に固定される。
【００１９】
このようにしてワーク４にナット部材１を固定してから、続いて図７に示すように、部品７にねじ５の脚部６を貫通させてねじ５の脚部６を前記ナット部材１の雌ねじ３にねじ込む。これにより、ワーク４に部品７は強固に固定される。このとき、ナット部材１はワーク４に嵌め込まれて固定されているので、部品７がワーク４から外れるといったことがなくなる。
【図面の簡単な説明】
【００２０】
【図１】本発明の実施の形態を示す平面図である。
【図２】本発明の一部断面正面図である。
【図３】図２のＡ−Ａ線断面図である。
【図４】図２のＢ−Ｂ線断面図である。
【図５】ワークの貫通穴を示す平面図である。
【図６】ワークとナット部材との嵌め合わせ状態を示す平面図である。
【図７】ナット部材とねじ部材との係合状態を示す正面図である。
【図８】本発明の他の実施の形態を示す拡大一部断面正面図である。
【図９】図８の底面図である。
【図１０】もう一つの他の実施の形態を示す一部断面正面図である。
【図１１】従来例を示す断面正面図である。
【図１２】従来例の使用状態を示す一部断面正面図である。
【符号の説明】
【００２１】
１    ナット部材
２    胴部
３    雌ねじ
４    ワーク
５    ねじ
６    脚部
７    部品
１０    係止部
１１    上側の外方突出縁
１２    下側の外方突出縁
１３    突起
２０    貫通穴
２１    突出溝
２２    内方突出縁
２３    突起
【図１】
2007002948.tif 000003
【図２】
2007002948.tif 000004
【図３】
2007002948.tif 000005
【図４】
2007002948.tif 000006
【図５】
2007002948.tif 000007
【図６】
2007002948.tif 000008
【図７】
2007002948.tif 000009
【図８】
2007002948.tif 000010
【図９】
2007002948.tif 000011
【図１０】
2007002948.tif 000012
【図１１】
2007002948.tif 000013
【図１２】
2007002948.tif 000014